(57)【要約】【課題】表示された画像の中から所望する画像を指示すると共に、指示した画像を出力する。【解決手段】画像を表示する画像表示装置２と、画像のデータを管理するデータハンドリング装置３とが通信により接続された画像観賞システム１において、画像表示装置２は、データハンドリング装置３から受信した画像のデータを記憶する記憶手段６４Ａと、前記記憶されたデータが示す画像を表示する表示手段５６と、前記表示された画像が指示されたことを検出する指示検出手段５４と、データハンドリング装置は、画像のデータが入力される画像入力手段７４と、前記入力された画像のデータを記憶する記憶手段６４Ｂと、画像表示装置２から受信した情報が示す画像のデータを前記記憶手段６４Ｂから取得するデータ取得手段７７と、前記取得した画像のデータを出力する出力手段７６とを備える。【選択図】図３
2007192976.tif 000002
【特許請求の範囲】
【請求項１】
画像を表示する画像表示装置と、画像のデータを管理するデータハンドリング装置とが通信により接続された画像観賞システムであって、
画像表示装置は、
画像のデータを受信する受信手段（Ａ）と、
前記受信した画像のデータを記憶する記憶手段（Ａ）と、
前記記憶されたデータが示す画像を表示する表示手段と、
前記表示された画像が指示されたことを検出する指示検出手段と、
前記指示された画像に関する情報を送信する送信手段（Ａ）とを備え、
データハンドリング装置は、
画像のデータが入力される入力手段と、
前記入力された画像のデータを記憶する記憶手段（Ｂ）と、
前記記憶された画像のデータを送信する送信手段（Ｂ）と、
前記指示された画像に関する情報を受信する受信手段（Ｂ）と、
前記受信した情報が示す画像のデータを前記記憶手段（Ｂ）から取得する取得手段と、
前記取得した画像のデータを出力する出力手段と、
を備えることを特徴とする画像観賞システム。
【請求項２】
請求項１に記載の画像観賞システムにおいて、
前記データハンドリング装置は、前記出力されたデータが示す画像を表示する表示手段を更に備え、
前記出力手段は、更に、前記表示手段の表示を制御する信号を出力すると共に、
前記表示手段は、前記信号に応じて前記画像を表示することを特徴とする画像観賞システム。
【請求項３】
画像のデータを受信する受信手段と、
前記受信した画像のデータを記憶する記憶手段と、
前記記憶されたデータが示す画像を表示する表示手段と、
前記表示された画像が指示されたことを検出する指示検出手段と、
前記指示された画像に関する情報を送信する送信手段と、
を備えることを特徴とする画像表示装置。
【請求項４】
請求項３に記載の画像表示装置において、
人物を感知する感知手段を更に備え、
前記表示手段で表示される前記画像は、前記感知に応じて表示が制御されることを特徴とする画像表示装置。
【請求項５】
請求項３乃至４のいずれかに記載の画像表示装置において、
前記表示手段で表示される前記画像は、日時に関する情報に応じて表示が制御されることを特徴とする画像表示装置。
【請求項６】
請求項３乃至５のいずれか１項に記載の画像表示装置において、
脱着自在に構成され、装着された相手に電源を供給する電源供給部を更に備えることを特徴とする画像表示装置。
【請求項７】
請求項６に記載の画像表示装置において、
前記電源供給部は、前記装着された相手との間で、更に情報を授受することを特徴とする画像表示装置。
【請求項８】
請求項３乃至７のいずれか１項に記載の画像表示装置において、
前記指示検出手段は、前記表示手段を指し示す指示具の指示を検出することを特徴とする画像表示装置。
【請求項９】
請求項３乃至８のいずれか１項に記載の画像表示装置において、
前記受信手段は、更に、画像に関する情報を受信し、
前記表示手段は、前記画像に関する情報および前記画像の少なくとも１つを、前記受信手段の受信を受けて表示することを特徴とする画像表示装置。
【請求項１０】
画像のデータが入力される入力手段と、
前記入力された画像のデータを記憶する記憶手段と、
前記記憶された画像のデータを送信する送信手段と、
前記送信した画像のデータの何れか１つの前記画像に関する情報を受信する受信手段と、
前記受信した情報が示す画像のデータを前記記憶手段から取得する取得手段と、
前記取得した画像のデータを出力する出力手段と、
を備えることを特徴とするデータハンドリング装置。
【請求項１１】
請求項１０に記載のデータハンドリング装置において、
前記出力されたデータが示す画像を表示する表示手段を更に備えることを特徴とするデータハンドリング装置。
【請求項１２】
請求項１０乃至１１のいずれかに記載のデータハンドリング装置において、
前記記憶手段に記憶された画像のデータを修正するデータ修正手段を更に備えることを特徴とするデータハンドリング装置。
【請求項１３】
請求項１０乃至１２のいずれか１項に記載のデータハンドリング装置において、
ユーザの属性情報や予定情報を管理するユーザ情報管理手段を更に備え、
前記送信手段は、更に、前記属性情報や前記管理情報に応じた画像を送信することを特徴とするデータハンドリング装置。
【請求項１４】
電子写真のデータが入力される入力手段と、
前記入力された電子写真のデータを記憶する記憶手段と、
前記記憶された電子写真のデータが示す画像を表示する表示手段と、
前記表示された画像が指示されたことを検出する指示検出手段と、
前記検出を受け、指示された前記画像のデータを前記記憶手段から取得する取得手段と、
前記取得された画像のデータを出力する出力手段と、
を備えることを特徴とする電子式写真立て。
【請求項１５】
画像のデータを受信する受信工程と、
前記受信した画像のデータを記憶する記憶工程と、
前記記憶されたデータが示す画像を表示する表示工程と、
前記表示された画像が指示されたことを検出する指示検出工程と、
前記指示された画像に関する情報を送信する送信工程と、
を備えることを特徴とする画像表示方法。
【請求項１６】
画像のデータを受信する受信機能と、
前記受信した画像のデータを記憶する記憶機能と、
前記記憶されたデータが示す画像を表示する表示機能と、
前記表示された画像が指示されたことを検出する指示検出機能と、
前記指示された画像に関する情報を送信する送信機能と、
をコンピュータに実現させることを特徴とする画像表示プログラム。
【請求項１７】
画像のデータが入力される入力工程と、
前記入力された画像のデータを記憶する記憶工程と、
前記記憶された画像のデータを送信する送信工程と、
前記送信した画像のデータの何れか１つの前記画像に関する情報を受信する受信工程と、
前記受信した情報が示す画像のデータを前記記憶手段から取得する取得工程と、
前記取得した画像のデータを出力する出力工程と、
を備えることを特徴とするデータハンドリング方法。
【請求項１８】
画像のデータが入力される入力機能と、
前記入力された画像のデータを記憶する記憶機能と、
前記記憶された画像のデータを送信する送信機能と、
前記送信した画像のデータの何れか１つの前記画像に関する情報を受信する受信機能と、
前記受信した情報が示す画像のデータを前記記憶手段から取得する取得機能と、
前記取得した画像のデータを出力する出力機能と、
をコンピュータに実現させることを特徴とするデータハンドリングプログラム。
【発明の詳細な説明】
【技術分野】
【０００１】
本発明は、人物が手指等で指示した写真のデータを観賞可能に出力する画像観賞システム、画像表示装置、データハンドリング装置、電子式写真立て、画像表示方法、画像表示プログラム、データハンドリング方法およびデータハンドリングプログラムに関する。
【背景技術】
【０００２】
従来、静止画像を撮影する方法としては、銀塩フィルムを使用する方法以外に、デジタルカメラ等を使用して被写体を撮影し、コンパクトフラッシュ（登録商標）やSmart Media（登録商標）等の記録媒体にデジタルデータを記録する方法が知られている。このようなデジタルカメラ等で撮影した電子写真を、観賞用画像として表示する装置としては、下記特許文献１のように、電子的な表示媒体と、種々のインターフェイスを具備する電子式写真立てが提案され、インターフェイスを介してデジタルデータを入力し、入力したデジタルデータが示す画像を電子的な表示媒体に表示させていた。
【０００３】
【特許文献１】特開２００１−６７００４号公報
【発明の開示】
【発明が解決しようとする課題】
【０００４】
しかしながら、電子式写真立てに表示された電子写真を、多人数で観賞すべく、表示領域が電子立てよりも広い表示装置に表示させるためには、電子写真のデータが記録された記録媒体を表示装置に読み込ませ、所望する画像を選択して表示させる必要があったが、これらの操作は煩雑であると共に、操作に多くの時間を要した。
【課題を解決するための手段】
【０００５】
上記した課題を解決するために、本発明の画像観賞システムは、画像を表示する画像表示装置と、画像のデータを管理するデータハンドリング装置とが通信により接続された画像観賞システムであって、画像表示装置は、画像のデータを受信する受信手段（Ａ）と、前記受信した画像のデータを記憶する記憶手段（Ａ）と、前記記憶されたデータが示す画像を表示する表示手段と、前記表示された画像が指示されたことを検出する指示検出手段と、前記指示された画像に関する情報を送信する送信手段（Ａ）とを備え、データハンドリング装置は、画像のデータが入力される入力手段と、前記入力された画像のデータを記憶する記憶手段（Ｂ）と、前記記憶された画像のデータを送信する送信手段（Ｂ）と、前記指示された画像に関する情報を受信する受信手段（Ｂ）と、前記受信した情報が示す画像のデータを前記記憶手段（Ｂ）から取得する取得手段と、前記取得した画像のデータを出力する出力手段と、を備えることを特徴とする。
【０００６】
この発明によれば、画像表示装置とデータハンドリング装置とは、通信により接続されていることに加え、画像表示装置に記憶されている画像は、データハンドリング装置から送られた画像であることから、画像表示装置の表示手段に表示された画像をユーザが指示することで、指示された画像の情報は、データハンドリング装置に即座に伝達され、データハンドリング装置は、指示された画像の情報から画像のデータを容易に取得して出力できる。
【０００７】
本発明では、前記データハンドリング装置は、前記出力されたデータが示す画像を表示する表示手段を更に備え、前記出力手段は、更に、前記表示手段の表示を制御する信号を出力すると共に、前記表示手段は、前記信号に応じて前記画像を表示することが好ましい。
【０００８】
この発明によれば、出力手段から出力されたデータが示す画像を、表示手段に表示させることができることに加え、出力手段から出力される信号により、表示手段の表示を制御できる。
【０００９】
上記した課題を解決するために、本発明の画像表示装置は、画像のデータを受信する受信手段と、前記受信した画像のデータを記憶する記憶手段と、前記記憶されたデータが示す画像を表示する表示手段と、前記表示された画像が指示されたことを検出する指示検出手段と、前記指示された画像に関する情報を送信する送信手段と、を備えることを特徴とする。
【００１０】
この発明によれば、画像のデータを受信して記憶すると共に、記憶した画像の中から、表示手段に表示した画像がユーザにより指示された場合、指示を検出して、指示された画像に関する情報を送信できる。
【００１１】
本発明は、人物を感知する感知手段を更に備え、前記表示手段で表示される前記画像は、前記感知に応じて表示が制御されることが好ましい。
【００１２】
この発明によれば、人物の感知に応じて、表示手段で表示する画像の表示を制御できる。
【００１３】
本発明では、前記表示手段で表示される前記画像は、日時に関する情報に応じて表示が制御されることが好ましい。
【００１４】
この発明によれば、出力された日時の情報に応じて、表示手段で表示する画像の表示を制御できる。
【００１５】
本発明は、脱着自在に構成され、装着された相手に電源を供給する電源供給部を更に備えることが好ましい。
【００１６】
この発明によれば、電源供給部を装着することで、電源供給部から電源を得ることができる。
【００１７】
本発明では、前記電源供給部は、前記装着された相手との間で、更に情報を授受しても良い。
【００１８】
本発明では、前記指示検出手段は、前記表示手段を指し示す指示具の指示を検出しても良い。
【００１９】
本発明では、前記受信手段は、更に、画像に関する情報を受信し、前記表示手段は、前記画像に関する情報および前記画像の少なくとも１つを、前記受信手段の受信を受けて表示することが好ましい。
【００２０】
この発明によれば、表示手段は、受信手段の受信を受けて、画像および画像に関する情報の少なくとも１つを表示できる。
【００２１】
上記した課題を解決するために、本発明のデータハンドリング装置は、画像のデータが入力される入力手段と、前記入力された画像のデータを記憶する記憶手段と、前記記憶された画像のデータを送信する送信手段と、前記送信した画像のデータの何れか１つの前記画像に関する情報を受信する受信手段と、前記受信した情報が示す画像のデータを前記記憶手段から取得する取得手段と、前記取得した画像のデータを出力する出力手段と、を備えることを特徴とする。
【００２２】
この発明によれば、記憶手段に記憶した画像のデータを送信先に送信すると共に、送信した画像のデータの何れか１つの画像の情報が送信先から送信されるのを受けて、取得手段は、受信した情報が示す画像のデータを記憶手段から取得し、出力手段は、取得された画像データを出力できる。
【００２３】
本発明は、前記出力されたデータが示す画像を表示する表示手段を更に備えることが好ましい。
【００２４】
この発明によれば、出力手段から出力されたデータが示す画像を、表示手段に表示させることができる。
【００２５】
本発明は、前記記憶手段に記憶された画像のデータを修正するデータ修正手段を更に備えることが好ましい。
【００２６】
この発明によれば、データ修正手段により、所望する画像を形成すべく、データを修正できる。
【００２７】
本発明は、ユーザの属性情報や予定情報を管理するユーザ情報管理手段を更に備え、前記送信手段は、更に、前記属性情報や前記管理情報に応じた画像を送信することが好ましい。
【００２８】
この発明によれば、ユーザの属性情報や予定情報に応じた画像を送信できる。
【００２９】
上記した課題を解決するために、本発明の電子式写真立ては、電子写真のデータが入力される入力手段と、前記入力された電子写真のデータを記憶する記憶手段と、前記記憶された電子写真のデータが示す画像を表示する表示手段と、前記表示された画像が指示されたことを検出する指示検出手段と、前記検出を受け、指示された前記画像のデータを前記記憶手段から取得する取得手段と、前記取得された画像のデータを出力する出力手段と、を備えることが好ましい。
【００３０】
この発明によれば、ユーザにより指示された画像のデータは、取得手段で取得された後、出力手段から出力されるため、ユーザが指示した画像のデータを容易に利用できる。
【００３１】
上記した課題を解決するために、本発明の画像表示方法は、画像のデータを受信する受信工程と、前記受信した画像のデータを記憶する記憶工程と、前記記憶されたデータが示す画像を表示する表示工程と、前記表示された画像が指示されたことを検出する指示検出工程と、前記指示された画像に関する情報を送信する送信工程と、を備えることを特徴とする。
【００３２】
この発明によれば、画像のデータを受信して記憶すると共に、記憶した画像の中から、表示手段に表示した画像がユーザにより指示された場合、指示を検出して、指示された画像に関する情報を送信できる。
【００３３】
上記した課題を解決するために、本発明の画像表示プログラムは、画像のデータを受信する受信機能と、前記受信した画像のデータを記憶する記憶機能と、前記記憶されたデータが示す画像を表示する表示機能と、前記表示された画像が指示されたことを検出する指示検出機能と、前記指示された画像に関する情報を送信する送信機能と、をコンピュータに実現させることを特徴とする。
【００３４】
この発明によれば、画像のデータを受信して記憶すると共に、記憶した画像の中から、表示手段に表示した画像がユーザにより指示された場合、指示を検出して、指示された画像に関する情報を送信できる。
【００３５】
上記した課題を解決するために、本発明のデータハンドリング方法は、画像のデータが入力される入力工程と、前記入力された画像のデータを記憶する記憶工程と、前記記憶された画像のデータを送信する送信工程と、前記送信した画像のデータの何れか１つの前記画像に関する情報を受信する受信工程と、前記受信した情報が示す画像のデータを前記記憶手段から取得する取得工程と、前記取得した画像のデータを出力する出力工程と、を備えることを特徴とする。
【００３６】
この発明によれば、記憶手段に記憶した画像のデータを送信先に送信すると共に、送信した画像のデータの何れか１つの画像の情報が送信先から送信されるのを受けて、取得手段は、受信した情報が示す画像のデータを記憶手段から取得し、出力手段は、取得された画像データを出力できる。
【００３７】
上記した課題を解決するために、本発明のデータハンドリングプログラムは、画像のデータが入力される入力機能と、前記入力された画像のデータを記憶する記憶機能と、前記記憶された画像のデータを送信する送信機能と、前記送信した画像のデータの何れか１つの前記画像に関する情報を受信する受信機能と、前記受信した情報が示す画像のデータを前記記憶手段から取得する取得機能と、前記取得した画像のデータを出力する出力機能と、をコンピュータに実現させることを特徴とする。
【００３８】
この発明によれば、記憶手段に記憶した画像のデータを送信先に送信すると共に、送信した画像のデータの何れか１つの画像の情報が送信先から送信されるのを受けて、取得手段は、受信した情報が示す画像のデータを記憶手段から取得し、出力手段は、取得された画像データを出力できる。
【発明を実施するための最良の形態】
【００３９】
以下、本発明の実施形態について、指示した画像を観賞可能に表示する画像観賞システム１を用いて説明する。
（実施形態１）
【００４０】
図１は、画像観賞システム１の外観を示す図である。この画像観賞システム１は、画像表示装置２とデータハンドリング装置３とで構成される。画像表示装置２は、フォトフレームのような様体であり、表示パネル３４に電子写真等の観賞用の画像が表示される電子式写真立てである。また、データハンドリング装置３は、パーソナルコンピュータ５を基体として、スキャナ４２、ビデオモニタ４６、キーボード４３および無線通信装置３６Ｂがケーブル２９を介して接続されているが、このような様体には、限定されず、同等の機能を有するＡＶ機器やＴＶ周辺機器であっても良い。他方で、画像表示装置２は、このような様体には限定されず、上記機能を一体化した様体であっても良い。
【００４１】
この画像観賞システム１は、スキャナ４２等から入力された画像のデータを記憶し、記憶した種々の画像を、無線通信装置３６Ｂを介して画像表示装置２に送り、表示パネル３４に表示させる。更に、この表示パネル３４に表示されている画像の１つを、ユーザが指示具３３により指示することで、データハンドリング装置３は、表示パネル３４に表示されている画像のデータを検索し、大画面を有するビデオモニタ４６に指示された画像を表示させる機能を有する。これらの機能の詳細は後述する。
【００４２】
図２は、画像観賞システム１のハードウェア構成を示す図である。最初に、画像表示装置２のハードウェア構成について説明する。この画像表示装置２は、ＣＰＵ（Ｃｅｎｔｒａｌ  Ｐｒｏｃｅｓｓｉｎｇ  Ｕｎｉｔ）１０Ａと、ＲＡＭ（Ｒａｎｄｏｍ  Ａｃｃｅｓｓ  Ｍｅｍｏｒｙ）１４Ａと、ＲＯＭ（Ｒｅａｄ  Ｏｎｌｙ  Ｍｅｍｏｒｙ）１２Ａと、記憶装置１６Ａと、計時回路１８Ａと、表示パネル駆動回路２４と、入力Ｉ／Ｆ（Ｉｎｔｅｒｆａｃｅ）２２Ａと、通信Ｉ／Ｆ２６Ａとを備える。これらのハードウェアは、バス２８Ａにより各信号が授受可能に接続されている。また、これらのハードウェアは、基本ソフトウェアであるＢＩＯＳ（Ｂａｓｉｃ  Ｉｎｐｕｔ  Ｏｕｔｐｕｔ  Ｓｙｓｔｅｍ）や、オペレーティングシステム（ＯＳ）により管理され、これらの管理下で、ＲＯＭ１２Ａや記憶装置１６Ａに記憶されたドライバを含む種々のソフトウェアにより、所定の機能が実行される。
【００４３】
ＣＰＵ１０Ａは、基本ソフトウェア、入力Ｉ／Ｆ２２Ａや通信Ｉ／Ｆ２６Ａに接続された各装置のデバイスドライバなどの各種プログラム、および各種のデータをＲＯＭ１２Ａや記憶装置１６Ａから読み込み、これらをＲＡＭ１４Ａ内に設けられるメインメモリ領域に展開して実行する。また、記憶装置１６Ａは、情報を読書き可能に記憶する装置であり、例えば、ハードディスクドライブやフラッシュメモリを採用できる。計時回路１８Ａは、ＣＰＵ１０Ａのクロック信号をカウントすることで、時間の経過に関する信号を生成する。また、表示パネル駆動回路２４は、ＣＰＵ１０Ａの指示に従い、記憶装置１６Ａに記憶された画像の中から所定の画像を、ハガキサイズ程度の液晶表示体で構成される表示パネル３４に表示する。
【００４４】
入力Ｉ／Ｆ２２Ａには、人感センサ３０およびタッチセンサ３２が所定の規格に従い接続されている。人感センサ３０は、人物の温度や熱線、動き等を検出して、人物の存在を感知するセンサであり、人物が所定の空間に存在する場合、所定の電気信号を出力するように構成されている。また、タッチセンサ３２は、押圧や赤外線や超音波領域内の物体の存在、静電容量もしくは温度等を検出して、人物の手指や指示具３３が接触したり、指示した場合、所定の電気信号を出力するように構成されている。
【００４５】
通信Ｉ／Ｆ２６Ａには、無線通信装置３６Ａおよび有線通信装置３８Ａが所定の規格に従い接続されている。この中で、無線通信装置３６Ａは、電波を媒体としてデータハンドリング装置３の無線通信装置３６Ｂとの間で種々の信号を授受する。また、有線通信装置３８Ａは、図示を略したケーブルを介して、データハンドリング装置３の有線通信装置３８Ｂと接続され、種々の信号を授受する。尚、この画像表示装置２は、図示を略した充電装置が備えられており、前記したハードウェアは、この充電装置から供給される電力により駆動する。また、本実施形態１では、無線による通信装置と有線による通信装置とを採用しているが、何れか１系統であっても良い。
【００４６】
次に、データハンドリング装置３のハードウェア構成について説明する。このデータハンドリング装置３は、ＣＰＵ１０Ｂと、ＲＡＭ１４Ｂと、ＲＯＭ１２Ｂと、記憶装置１６Ｂと、計時回路１８Ｂと、画像処理回路２０と、入力Ｉ／Ｆ２２Ｂと、出力Ｉ／Ｆ２７と、通信Ｉ／Ｆ２６Ｂとを備え、これらのハードウェアは、バス２８Ｂにより各信号が授受可能に接続されている。尚、これらのハードウェアは、基本ソフトウェアであるＢＩＯＳや、オペレーティングシステム（ＯＳ）により管理され、これらの管理下で、ＲＯＭ１２Ｂや記憶装置１６Ｂに記憶されたドライバを含む種々のソフトウェアにより、所定の機能が実行される。また、ＣＰＵ１０Ｂ、ＲＡＭ１４Ｂ、ＲＯＭ１２Ｂ、記憶装置１６Ｂおよび計時回路１８Ｂは、画像表示装置２のそれぞれと同様の機能を有するため、説明は省略する。
【００４７】
画像処理回路２０は、人物像を含む画像の中から人物の顔を認識し、人物を特定する。このような処理は、例えば、特開２００３−１４１５４２号公報に記載された処理方法を採用できる。また、スキャナ４２で読み込んだ画像の中から日付情報を抽出する。更に、記憶装置１６Ｂに記憶している画像データの加工編集を行う。
【００４８】
入力Ｉ／Ｆ２２Ｂには、メモリカードリーダ４０、スキャナ４２およびキーボード４３が所定の規格に従い接続されている。メモリカードリーダ４０は、図示を略したメモリカードを装着して接続し、メモリカードに記録された画像のデータファイルを読み込む。また、スキャナ４２は、画像が印刷された印刷物を読み取り部にセットして、ラインセンサを走査させることにより、その印刷物の電子データをデータファイル形式で生成できる。
【００４９】
出力Ｉ／Ｆ２７には、画像を表示する表示装置４４が接続されている。この表示装置４４には、ビデオモニタ４６を始め、テレビ受像機、プロジェクタおよびリアプロジェクションテレビ等の大画面を有する電子機器を採用できる。
【００５０】
通信Ｉ／Ｆ２６Ｂは、無線通信装置３６Ｂおよび有線通信装置３８Ｂが所定の規格に従い接続され、前記した画像表示装置２の無線通信装置３６Ａおよび有線通信装置３８Ａとの間で、種々の信号を授受する。
【００５１】
図３は、画像観賞システム１の機能構成を示す図である。最初に、画像表示装置２の機能構成について説明する。この画像表示装置２は、制御部５０Ａと、感知手段５２と、指示検出手段５４と、表示手段５６と、計時手段５８Ａと、記憶手段６４Ａと、無線通信手段６０Ａと、有線通信手段６２Ａと、電源部６６と、電源接続部６８と、通信接続部７０とを有する。この中で、電源接続部６８と通信接続部７０とは電源供給部６９を構成している。この電源供給部６９は、接続台（クレードル）の様体であり、画像表示装置２の本体部２Ａと脱着自在に構成されている。
【００５２】
感知手段５２は、人物の近接を感知する。具体的には、人感センサ３０の出力信号の変化から、人物の近接を判定し、判定結果を制御部５０Ａに送信する。この結果、人物が画像表示装置２に近づいたと判定された場合は、制御部５０Ａからの指示により、画像表示装置２は、表示手段５６に画像を表示する「画像表示モード」に遷移する。また、人物が画像表示装置２から遠ざかったと判定された場合は、制御部５０Ａからの指示により、画像表示装置２は、所定の待機時間を経て、表示手段５６で画像を表示しない「画像非表示モード」に遷移する。
【００５３】
指示検出手段５４は、表示手段５６に対する手指や指示具３３による指示を検出する。具体的には、タッチセンサ３２の出力信号の変化から、指示の有無を判定し、判定結果を制御部５０Ａに送信する。ここで、画像表示装置２が「画像表示モード」の状態で、指示が検出された場合、制御部５０Ａからの指示により、画像表示装置２は、「画像出力モード」に遷移する。この「画像出力モード」では、表示手段５６で表示されている画像の情報（ＩＤ情報）が、データハンドリング装置３に送信されると共に、画像表示装置２の表示手段５６には、操作画面が表示される。人物は、この操作画面を操作して、画像観賞システム１に種々の動作を指示することができる。また、指示具３３は、指示具３３として使用しない場合は、フォトフレームのような画像表示装置２を立てるために支持する機能を有しても良い。
【００５４】
表示手段５６は、記憶手段６４Ａに記憶された画像のデータの中から、制御部５０Ａから指示されたデータが示す画像を、表示パネル３４に表示する。尚、表示する画像のデータは１つに限定されず、制御部５０Ａから指示されるデータが、所定のタイミングに応じて変更されることで、表示される画像が順次切替わる「スライドショーモード」も対応できる。また、画像の表示に加えて、画像観賞システム１の状態を知らせるメッセージも併せて表示できる。
【００５５】
計時手段５８Ａは、所定の開始時刻からの経過日時や、現在の日時等の情報を出力する。具体的には、制御部５０Ａからの指示に従い、計時回路１８Ａからの信号を基に算出した情報を生成し、生成した情報を出力する。また、制御部５０Ａに前記スライドショーモードの画像切替えタイミング、および表示手段５６への所定の画像表示タイミングを連絡し、タイミングや日時に応じた画像を表示させる。尚、計時手段５８Ａは、前記機能に加えて、以下の機能を有する。尚、データハンドリング装置３の各機能部は後述する。
（１）データハンドリング装置３のユーザ情報管理手段７３が管理するユーザ/ユーザ関係者の属性/予定のタイミング(期間/期日/時刻)情報とその属性/予定に相応しいとデータハンドリング装置３の制御部５０Ｂが選定した画像のＩＤ情報を、データハンドリング装置３の制御部５０Ｂ、無線通信手段（６０Ｂ，６０Ａ）、画像表示装置２の制御部５０Ａを介して受け取り、管理する。
（２）データハンドリング装置３の計時手段５８Ｂの日時情報に従い入手した鑑賞画像のＩＤ情報と対応する日時情報を、データハンドリング装置３の制御部５０Ｂから無線通信手段（６０Ｂ，６０Ａ）、画像表示装置２の制御部５０Ａを介して受け取り、管理する。
（３）画像表示装置２の表示手段５６に画像を表示するタイミング(期間/期日/時刻)を制御部５０Ａに知らせ、該当する写真(属性/予定に相応しい画像群、鑑賞画像群)を表示手段５６に表示するよう促す。
（４）複数の画像のスライドショー表示を繰る時間間隔を、制御部５０Ａを介して制御する。
（５）タイマーの日時情報は、定期的に無線通信手段（６０Ｂ，６０Ａ）を介して、データハンドリング装置３の計時手段５８Ｂの同等情報と同期を図る。尚、上記した機能は、計時手段５８Ａに限定されず、制御部５０Ａで有しても良い。
【００５６】
記憶手段６４Ａは、種々のデータを記憶する。具体的には、データハンドリング装置３から送信される画像のデータ、画像の属性情報を示すタグ情報、および画像観賞システム１のユーザに関する情報等が記憶される。ここで、タグ情報とは、画像に関する日付情報、画像が生成された場所情報および画像の被写体情報等である。また、ユーザに関する情報とは、ユーザの属性情報や、ユーザの行動予定情報等である。
【００５７】
無線通信手段６０Ａは、データハンドリング装置３との間で無線により通信を行う。また、有線通信手段６２Ａは、データハンドリング装置３との間で有線により通信を行う。この有線通信手段６２Ａは、画像表示装置２の本体部２Ａが電源供給部６９に装着され、電源供給部６９の通信接続部７０と導通された場合に、通信が可能になる。また、この場合、電源部６６は、電源供給部６９の電源接続部６８とも導通されるため、画像表示装置２の本体部２Ａに電源が供給され、前記した充電装置に対して充電される。尚、無線通信と有線通信は、送信する情報量や、本体部２Ａと電源供給部６９との装着状態に応じて適切に選択される。
【００５８】
制御部５０Ａは、前記した各機能部を制御すると共に、各機能部の状態を把握し、表示手段５６での表示に反映させる。例えば、表示可能な画像が複数存在する場合、この制御部５０Ａは、無線通信手段６０Ａを介して新規に受信した画像や、メッセージ等の画像に関する情報を優先して即座に表示し、計時手段５８Ａが指定するタイミングに対応したユーザが属する属性に相応しい画像を、２番目に優先して表示する。更に制御部５０Ａは、計時手段５８Ａが指定する日時に対応する画像を、３番目に優先して表示する。
【００５９】
次に、データハンドリング装置３の機能構成について説明する。このデータハンドリング装置３は、制御部５０Ｂと、データ修正手段７２と、ユーザ情報管理手段７３と、タグ情報生成手段７５と、計時手段５８Ｂと、無線通信手段６０Ｂと、有線通信手段６２Ｂと、記憶手段６４Ｂと、画像入力手段７４と、データ取得手段７７と、出力手段７６と、表示手段７８とを有する。尚、このデータハンドリング装置３は、起動状態と休止状態の２つの状態の間で遷移し、起動状態にある場合は、全ての機能部が起動している。また、休止状態では、全ての機能部の内、計時手段５８Ｂ、ユーザ情報管理手段７３、制御部５０Ｂ、無線通信手段６０Ｂおよび記憶手段６４Ｂが起動していると共に、他の機能部は休止している状態を示す。
【００６０】
データ修正手段７２は、画像表示装置２からの指示に従い、記憶手段６４Ｂに記憶された画像のデータを読み出し、フォトムービー作成やスライドショー作成等を含むデータの編集および修正を行った後、修正された画像のデータを記憶手段６４Ｂに送る。
【００６１】
ユーザ情報管理手段７３は、ユーザの属性情報や予定情報を管理し、属性情報に関連する期間や、期日や、時刻等のタイミングを事前に割り出し、記憶手段６４Ｂに記憶する。加えて、ユーザ情報管理手段７３は、制御部５０Ｂが属性または予定に対応するタイミングに相応しい画像を記憶手段６４Ｂから選択するべく、計時手段５８Ｂの日時情報を参照して、属性または予定に対応するタイミング情報を制御部５０Ｂに出力する。
【００６２】
タグ情報生成手段７５は、制御部５０Ｂからの指示に従い、画像入力手段７４に入力された画像データから、タグ情報を作成する。具体的には、画像処理回路２０により、入力された画像データを画像処理することで、画像に含まれる人物の顔を認識して特定する。続いて、特定された人物に関するタグ情報を作成して、記憶手段６４Ｂに記憶する。尚、人物が特定できなかった場合は、タグ情報生成手段７５が予め用意した選択枝に従い、ユーザが対話形式でタグ情報を作成して、記憶手段６４Ｂに記憶する。
【００６３】
計時手段５８Ｂは、所定の開始時刻からの経過日時や、現在の日時等の情報を出力する。具体的には、制御部５０Ｂからの指示に従い、計時回路１８Ｂからの信号を基に算出した情報を生成し、生成した情報を出力する。また、この計時手段５８Ｂと、画像表示装置２の計時手段５８Ａとは、無線通信手段（６０Ａ，６０Ｂ）を介して定期的に同期を取るように構成されている。
【００６４】
無線通信手段６０Ｂは、画像表示装置２との間で無線により通信を行う。また、有線通信手段６２Ｂは、画像表示装置２との間で有線により通信を行う。
【００６５】
画像入力手段７４は、画像のデータが入力される。具体的には、キーボード４３から入力される指示に従い、スキャナ４２により生成されたファイル形式の画像データや、メモリカードリーダ４０から読み込まれたファイル形式の画像データは、記憶手段６４Ｂに記憶される。尚、画像データの入力方法は前記した方法に限定されず、例えば、ネットワークを介して外部のサーバ等から画像のデータをダウンロードしても良い。また、記憶する画像には、画像のファイル名等を示すＩＤ情報が付与され、このＩＤ情報を用いて画像表示装置２との間で画像の情報を授受するように構成されている。更に、画像入力手段７４は、これらのファイル形式の画像データから、日付情報や場所情報を読み出すと共に、読み出した情報をタグ情報生成手段７５に送る。
【００６６】
記憶手段６４Ｂは、種々のデータを記憶する。具体的には、画像入力手段７４から入力された画像のデータ、タグ情報生成手段７５で作成されたタグ情報、およびユーザ情報管理手段７３から送られるユーザに関する情報等を記憶する。
【００６７】
データ取得手段７７は、画像表示装置２から送信され、制御部５０Ｂにより指示される画像のＩＤ情報から、記憶手段６４Ｂに記憶されている画像のデータを取得する。取得された画像のデータは出力手段７６に送られる。
【００６８】
出力手段７６は、データ取得手段７７から送られる画像のデータを読み込み、映像信号として出力する。具体的には、出力される映像信号の示す画像は、画像表示装置２の表示手段５６で表示されていた画像と同一であり、表示手段７８で表示可能な映像信号に変換された後、図示を略した出力端子から出力される。また、映像信号に加えて、表示手段７８に入力された映像信号を表示させるべく、表示手段７８を制御する種々の信号、例えば、電源制御信号や、チャンネル制御信号や、リモコン制御信号等も同時に出力される。
【００６９】
以上、画像観賞システム１の各機能部を説明したが、これらの機能は、前記したハードウェア資源と、ソフトウェアとが有機的に協働することで実現される。
【００７０】
図４は、画像観賞システム１における画像観賞の１つの処理の流れを示すタイミング図であり、この図に従い説明する。
【００７１】
最初に、画像表示装置２の表示パネル３４は、何も表示されていない状態（画像非表示モード）である（ステップＳ１００）。
【００７２】
ここで、人物が画像表示装置２に近づくことにより、人感センサ３０は、人物を感知する（ステップＳ１０２）。この人感センサ３０の感知を受けて、制御部５０Ａから指示される画像が、表示パネル３４に表示（画像表示モード）される（ステップＳ１０４）。更に、制御部５０Ａは、表示パネル３４で表示する画像を、所定の時間毎に切替えて表示（スライドショーモード）する（ステップＳ１０６）。
【００７３】
ここで、この人物は、表示パネル３４に順次切替えて表示されている画像の中から、嗜好する画像を指示具３３で指示し、この指示をタッチセンサ３２が検出する（ステップＳ１１０）。タッチセンサ３２での検出を受け、制御部５０Ａは、データハンドリング装置３に対して、起動を要求する信号を生成すると共に、無線通信装置３６Ａを介してデータハンドリング装置３に送信する（ステップＳ１１２）。
【００７４】
休止状態のデータハンドリング装置３は、起動している無線通信装置３６Ａを介して、起動を要求する信号を受信する（ステップＳ１３０）。更に、前記信号を受け、データハンドリング装置３の制御部５０Ｂは、起動状態に遷移すべく、データハンドリング装置３の各部を起動する（ステップＳ１３２）。続いて、制御部５０Ｂは、各部の起動を確認し、起動が完了した旨の信号を画像表示装置２に送信する（ステップＳ１３４）。
【００７５】
画像表示装置２は、前記信号を受信して、データハンドリング装置３の各部の起動を確認する（ステップＳ１１４）。続いて、画像表示装置２の制御部５０Ａは、前記人物により指示された画像のファイル名等を示すＩＤ情報を、データハンドリング装置３に送信する（ステップＳ１１６）。この後、表示パネル３４には、操作画面が操作可能に表示される（ステップＳ１１８）。
【００７６】
データハンドリング装置３は、送信されたＩＤ情報を受信する（ステップＳ１３６）。続いて、データハンドリング装置３の制御部５０Ｂは、受信したＩＤ情報をデータ取得手段７７に送り、データ取得手段７７は、このＩＤ情報が示す画像のデータを記憶装置１６Ｂから読み込み（ステップＳ１３８）、出力手段７６に送る。出力手段７６は、表示装置４４を起動させると共に、データ取得手段７７から送られる画像のデータから映像信号のデータを生成し、生成した映像信号を表示装置４４で表示させるべく、表示装置４４の設定を行う（ステップＳ１４０）。続いて、出力手段７６は、映像信号のデータを表示装置４４に送り、映像信号が示す画像を表示装置４４に表示させる（ステップＳ１４２）。
【００７７】
ここで、この人物は、画像表示装置２の表示パネル３４に表示された操作画面を操作して、特定の画像を加工する工程を選択する（ステップＳ１１９）。この選択された工程に関する情報は、データハンドリング装置３に対して送信される。
【００７８】
データハンドリング装置３の制御部５０Ｂは、前記情報を受け、画像表示装置２からの画像加工指示に対応する画像加工モードに入る（ステップＳ１４３）。この画像加工モードでは、人物は、画像表示装置２の表示パネル３４に表示される操作画面に従い、スライドショーの作成や、フォトムービーの作成を含む画像の編集を行う（ステップＳ１２０）。この編集指示は、データハンドリング装置３に対しても逐次送信され、データハンドリング装置３は、前記指示に従い、記憶装置１６Ｂに記憶されている画像のデータを更新する（ステップＳ１４４）。
【００７９】
ここで、データハンドリング装置３の制御部５０Ｂは、画像のデータが更新され、更新された画像は表示可能である旨の情報を画像表示装置２に送信する（ステップＳ１４５）。
【００８０】
画像表示装置２の制御部５０Ａは、前記情報を受信して、編集した画像の表示が可能である旨のメッセージを表示パネル３４に表示させる（ステップＳ１２１）。
【００８１】
前記メッセージを見た人物は、操作画面の中から、表示されている画像の更新を指示し、画像の更新を指示するメッセージは、データハンドリング装置３に送信される（ステップＳ１２２）。
【００８２】
データハンドリング装置３は、前記メッセージを受信する（ステップＳ１４６）。この受信を受けて、データハンドリング装置３の制御部５０Ｂは、更新された画像のデータを記憶装置１６Ｂから読み込み（ステップＳ１４８）、読み込んだデータが示す画像を表示装置４４に表示させる（ステップＳ１５０）。
【００８３】
ここで、この人物は、表示装置４４に表示された画像を観賞した後、操作画面から画像の表示の終了を指示する（ステップＳ１２３）。
【００８４】
画像表示装置２の制御部５０Ａは、前記指示を受け、表示の終了を指示する信号をデータハンドリング装置３に送信する（ステップＳ１２４）。更に、この制御部５０Ａは、表示パネル３４で表示する画像を、所定の時間毎に切替えて表示（スライドショーモード）し（ステップＳ１２６）、所定の時間の間、人物が感知されない場合は、表示パネル３４を非表示モードに遷移させる（ステップＳ１２８）。
【００８５】
他方で、データハンドリング装置３は、表示の終了を指示する信号を受信し（ステップＳ１５２）、この信号を受けて制御部５０Ｂは、各機能部を休止状態に遷移させる（ステップＳ１５４）。
【００８６】
次に、図５は、画像観賞システム１において、タグ情報に応じたスライドショーの画像の更新処理の流れを示すタイミング図であり、この図に従い説明する。
【００８７】
最初に、休止状態、もしくは起動状態のデータハンドリング装置３の制御部５０Ｂは、現在の日時に関する情報を、所定のタイミングで取得する（ステップＳ１７０）。更に、制御部５０Ｂは、取得した日時に関する情報に関連したタグ情報を有する画像群を、記憶装置１６Ｂに記憶された画像の中から選定し（ステップＳ１７２）、選定した画像群のファイル名等のＩＤ情報と、画像群のタグ情報に含まれる日時の情報とを関連付けてユーザ情報管理手段７３に管理させる（ステップＳ１７４）。
【００８８】
他方で、画像表示装置２の制御部５０Ａは、現在の日時に関する情報を、所定のタイミングで取得する（ステップＳ１６０）。続いて、制御部５０Ａは、データハンドリング装置３に対して、画像群が更新されたか、否かを問い合わせ、更新されている場合は、画像群のデータ送信を要求する（ステップＳ１６２）。
【００８９】
データハンドリング装置３の制御部５０Ｂは、データ送信の要求を受け、選定した画像群のデータとＩＤ情報とを画像表示装置２に送信する（ステップＳ１７６）。
【００９０】
画像表示装置２の制御部５０Ａは、送信される画像群のデータとＩＤ情報とを受信し（ステップＳ１６４）、受信した画像群のデータを記憶装置１６Ａに記憶し、受信したＩＤ情報は、計時手段５８Ａに管理させる。次に、人感センサ３０が人物を感知してから、所定の時間内であり、表示パネル３４で表示すべき画像が指示されていない状態であって、操作画面が表示されていない場合に限り、制御部５０Ａは、記憶した画像群を所定の時間毎に切替えて表示パネル３４に表示させるスライドショーを実行する（ステップＳ１６６）。
【００９１】
スライドショーを実行して所定の時間内に、人感センサ３０が人物を感知しない場合、制御部５０Ａは、表示パネル３４を非表示モードに遷移させる（ステップＳ１６８）。
【００９２】
次に、図６は、画像観賞システム１において、画像データが入力される処理の流れを示すタイミング図であり、この図に従い説明する。
【００９３】
最初に、データハンドリング装置３は、ユーザにより起動される（ステップＳ１９２）。次に、ユーザは、画像のデータが記録されたメモリカードをメモリカードリーダ４０に装着する（ステップＳ１９４）。更に、ユーザがキーボード４３から操作指示することにより、メモリカードに記録された画像のデータが読み取られ、記憶装置１６Ｂに記憶される（ステップＳ１９６）。加えて、制御部５０Ｂは、タグ情報生成手段７５に対して、記憶した画像データからタグ情報の生成を指示する（ステップＳ１９８）。続いて、画像データの受信を画像表示装置２に指示すべく信号を送信する（ステップＳ２００）。
【００９４】
画像表示装置２は、前記信号を受信する（ステップＳ１８０）と共に、制御部５０Ａは、画像データを受信可能な状態に遷移させる（ステップＳ１８２）。続いて、制御部５０Ａは、画像データの送信を要求する信号を、データハンドリング装置３に送信する（ステップＳ１８４）。
【００９５】
データハンドリング装置３は、前記信号を受信した後、読み取った画像のデータと生成したタグ情報とを画像表示装置２に送信する（ステップＳ２０２）。尚、この場合の通信装置は、通信容量が大きい有線通信装置３８Ａを用いても良い。
【００９６】
画像表示装置２は、前記画像データとタグ情報とを受信し（ステップＳ１８６）、画像データは記憶装置１６Ａに記憶すると共に、タグ情報は、計時回路１８Ａに管理させる。続いて、制御部５０Ａは、記憶した画像を所定の時間毎に切替えて表示パネル３４に表示させるスライドショーを実行する（ステップＳ１８８）。また、この際、データハンドリング装置３からの画像の取り込みが終了した旨のメッセージを、表示パネル３４に重畳して表示しても良い。
【００９７】
スライドショーを実行して所定の時間内に、人感センサ３０が人物を感知しない場合、制御部５０Ａは、表示パネル３４を非表示モードに遷移させる（ステップＳ１９０）。
【００９８】
以上述べた実施形態によれば、以下のような効果を奏する。
（１）写真立てのような表示パネル３４に表示された画像は、ユーザに指示されることで、大画面を有する表示装置４４に表示されるため、ユーザが所望する画像を多人数で観賞できる。
（２）表示パネル３４には、日時情報や、画像を観賞する人物の属性やスケジュールに応じて、表示する画像が選択されて表示されるため、画像を観賞させたい人物に対し、表示する画像を注視させることができる。
（実施形態２）
【００９９】
次に、本発明の実施形態２について、図７および図８を参照して説明する。尚、以下の説明では、既に説明した部分と同一な部分については、同一番号の符号を付してその説明を省略するまたは簡略する。図７は、写真立て５のハードウェア構成を示す図であり、図８は、写真立て５の機能構成を示す図である。
【０１００】
この写真立て５は、外観視、実施形態１の画像表示装置２と略同一の様体であり、実施形態１における画像表示装置２とデータハンドリング装置３との機能を１つに集積したものである。即ち、写真立て５のハードウェア構成は、ＣＰＵ１０と、ＲＡＭ１４と、ＲＯＭ１２と、記憶装置１６と、計時回路１８と、画像処理回路２０と、入力Ｉ／Ｆ２２と、出力Ｉ／Ｆ２７と、表示パネル駆動回路２４とを備え、これらのハードウェアは、バス２８により各信号が授受可能に接続されている。更に、入力Ｉ／Ｆ２２には、メモリカードリーダ４０と、人感センサ３０と、タッチセンサ３２とが接続され、出力Ｉ／Ｆ２７には、図示を略した出力端子を介して表示装置４４が接続されている。また、表示パネル駆動回路２４には、表示パネル３４が接続されている。
【０１０１】
また、写真立て５の機能構成は、制御部５０と、感知手段５２と、指示検出手段５４と、データ修正手段７２と、ユーザ情報管理手段７３と、タグ情報生成手段７５と、計時手段５８と、記憶手段６４と、画像入力手段７４と、出力手段７６と、データ取得手段７７と、表示手段５６とを有する。尚、出力手段７６から出力される映像信号は、表示装置４４の制御信号と共に表示装置４４に送られるが、これらの信号は、有線による搬送に限定されず、無線による搬送であっても良い。
【０１０２】
上記した機能を有する写真立て５は、実施形態１の画像観賞システム１と同一の作用および効果を奏する。
【０１０３】
以上、本発明を図示した実施形態１および実施形態２に基づいて説明したが、本発明は、本実施形態に限定されるものではなく、以下に述べるような変形例も想定できる。
（１）表示する画像は、静止画に限定されず、動画であっても良い。
（２）表示パネル３４は、表示記憶性を有し、人感センサ３０による表示の制御は行わず、常に画像が表示されていても良い。
【図面の簡単な説明】
【０１０４】
【図１】本発明の実施形態１に係る画像観賞システムの外観を示す図。
【図２】本発明の実施形態１に係る画像観賞システムのハードウェア構成を示す図。
【図３】本発明の実施形態１に係る画像観賞システムの機能構成を示す図。
【図４】本発明の実施形態１に係る画像観賞システムにおける画像観賞の処理の流れを示すタイミング図。
【図５】本発明の実施形態１に係る画像観賞システムにおけるタグ情報に応じたスライドショーの画像の更新処理の流れを示すタイミング図。
【図６】本発明の実施形態１に係る画像観賞システムにおける画像データが入力される処理の流れを示すタイミング図。
【図７】本発明の実施形態２に係る写真立てのハードウェア構成を示す図。
【図８】本発明の実施形態２に係る写真立ての機能構成を示す図。
【符号の説明】
【０１０５】
１…画像観賞システム、２…画像表示装置、２Ａ…画像表示装置の本体部、３…データハンドリング装置、５…パーソナルコンピュータ、１０，１０Ａ，１０Ｂ…ＣＰＵ、１２，１２Ａ，１２Ｂ…ＲＯＭ、１４，１４Ａ，１４Ｂ…ＲＡＭ、１６，１６Ａ，１６Ｂ…記憶装置、１８，１８Ａ，１８Ｂ…計時回路、２０…画像処理回路、２２，２２Ａ，２２Ｂ…入力Ｉ／Ｆ、２４…表示パネル駆動回路、２６Ａ，２６Ｂ…通信Ｉ／Ｆ、２７…出力Ｉ／Ｆ、２８，２８Ａ，２８Ｂ…バス、２９…ケーブル、３０…人感センサ、３２…タッチセンサ、３３…指示具、３４…表示パネル、３６Ａ，３６Ｂ…無線通信装置、３８Ａ，３８Ｂ…有線通信装置、４０…メモリカードリーダ、４２…スキャナ、４３…キーボード、４４…表示装置、４６…ビデオモニタ、５０，５０Ａ，５０Ｂ…制御部、５２…感知手段、５４…指示検出手段、５６…表示手段、５８，５８Ａ，５８Ｂ…計時手段、６０Ａ，６０Ｂ…無線通信手段、６２Ａ，６２Ｂ…有線通信手段、６４，６４Ａ，６４Ｂ…記憶手段、６６…電源部、６８…電源接続部、６９…電源供給部、７０…通信接続部、７２…データ修正手段、７３…ユーザ情報管理手段、７４…画像入力手段、７５…タグ情報生成手段、７６…出力手段、７７…データ取得手段、７８…表示手段。
【図１】
2007192976.tif 000003
【図２】
2007192976.tif 000004
【図３】
2007192976.tif 000005
【図４】
2007192976.tif 000006
【図５】
2007192976.tif 000007
【図６】
2007192976.tif 000008
【図７】
2007192976.tif 000009
【図８】
2007192976.tif 000010